(57)【要約】【課題】就寝姿勢が違和感なくとれるとともに排泄が楽に行え、床ずれが軽減され、かつ、排泄物等の漏れ出しがない排泄物受け具、さらに、その排泄物受け具を用いた快適に使用できる自動排泄物処理装置を提供する。【解決手段】人体の排泄機能部を覆うように装着使用され、内部に流体が注入されて膨らむことで、装着される人体に密接するとともに人体の排泄機能部が臨む位置に排泄用空間１３を密閉状態に形成する排泄物受け具１と、その排泄物受け具１と排泄物受け具１内部に膨らまし用流体を供給する流体供給手段７、Ｐａとを備える自動排泄物処理装置。【選択図】図２
2008284319.tif 000002
【特許請求の範囲】
【請求項１】
人体の排泄機能部を覆うように装着使用され、
内部に流体が注入されて膨らむことで、装着される人体に密接するとともに人体の排泄機能部が臨む位置に排泄用空間を密閉状態に形成する、
ことを特徴とする排泄物受け具。
【請求項２】
人体からの排泄物の処理を自動的に行う自動排泄物処理装置であり、
請求項１記載の排泄物受け具と、
前記排泄物受け具内部に膨らまし用流体を供給する流体供給手段と、
を備えることを特徴とする自動排泄物処理装置。
【発明の詳細な説明】
【技術分野】
【０００１】  この発明は、寝たきりの要介護者等に用いる排泄物受け具及び自動排泄物処理装置に関する。
【背景技術】
【０００２】  自立できず寝たきりとなった要介護者の場合、介護に際しその排泄物の処理に非常に労力を要する。そこで、最近においては排泄物の処理が自動的になされる装置が提供されている。この装置は排泄物を受け具で受け、それを外部に排出処理するとともに、人体の排泄機能部を洗浄するものであり、受け具は常時人体の排泄機能部に装着された状態で用いられる。
【発明の開示】
【０００３】  しかしながら、現状の装置における排泄物の受け具はプラスチック等の固形の成形品よりなるので、常時人体の排泄機能部に装着された状態で用いられると、それが邪魔となって自然な就寝姿勢がとりにくいとともに、寝返り等も行いにくく、その結果、要介護者は十分な睡眠、休養が取れないという問題が生じた。また、寝たきりの要介護者の場合、常に腰部や臀部における床ずれの問題があるが、臀部の固形の受け具が当たっている部所にさらに床ずれが発生しやすくなる問題もあった。くわえて、受け具はその形態が一定であるので装着時人体との間に隙間が生じやすく、洗浄水、排泄物がもれ出るというも問題もあった。
【特許文献１】特開２００２−５８６９２
【発明が解決しようとする課題】
【０００４】  この発明は、就寝姿勢が違和感なくとれるとともに床ずれの発生がなく、さらに、洗浄水、排泄物の漏れ出しがない排泄物受け具を提供する。さらに、その排泄物受け具を用いた快適に使用できる自動排泄物処理装置を提供する。
【課題を解決するための手段】
【０００５】  請求項１の発明では、人体の排泄機能部を覆うように装着使用され、内部に流体が注入されて膨らむことで、装着される人体に密接するとともに人体の排泄機能部が臨む位置に排泄用空間を密閉状態に形成することを特徴とする排泄物受け具を提供する。請求項２の発明では、人体からの排泄物の処理を自動的に行う自動排泄物処理装置であり、請求項１記載の排泄物受け具と、前記排泄物受け具内部に膨らまし用流体を供給する流体供給手段とを備えることを特徴とする自動排泄物処理装置を提供する。
【０００６】  請求項１の発明によれば、非排泄時において装着される状態では、排泄物受け具はほぼ立体的に存在しないので要介護者の就寝姿勢を邪魔することがなく、寝返り等も容易に行える。かつ、膨らんだ際には腰部、臀部が排泄物受け具に弾力的に支持されるので、力の入らない楽な状態での排泄が可能となり、排泄時毎に臀部が変位されることで通常の床ずれも減少される。また、排泄時においては、排泄物受け具が膨らむことで胴部、臀部、太腿上部に連続して密着し排泄物の受け部が密閉形成されることで、排泄物や洗浄湯水の外部への漏れ出しが阻止される。
【０００７】  排泄物受け具は請求項２の自動排泄物処理装置に組み込まれることなく単独で使用されてもよい。排泄物受け具を膨らます流体としては、気体、液体適宜のものを使用できる。請求項２の発明によれば、就寝姿勢、排泄姿勢が楽にとれるとともに床ずれが軽減され、排泄物等の漏れ出しのない自動排泄物処理装置が得られる。
【発明の効果】
【０００８】  この発明によれば、就寝姿勢が違和感なくとれるとともに排泄が楽に行え、床ずれが軽減され、かつ、排泄物等の漏れ出しがない排泄物受け具が得られるとともに、さらに、その排泄物受け具を用いた快適に使用できる自動排泄物処理装置が得られる。
【発明を実施するための最良の形態】
【０００９】  図１はこの発明の排泄物受け具の実施形態の非使用時における状態を示す斜視図、図２は同使用時における状態を示す斜視図、図３、図４は同使用時における異なる方向における断面図である。【００１０】  排泄物受け具１は、全体がプラスチックス製で通常は扁平であってオムツカバーの形態を呈する。排泄物受け具１は、中央部３の先端部分４を残すほぼ全体の部分の内部に一体に連続する空気充填用スペース５を備え、７はその空気充填用スペース５内への空気導入用パイプである。先端部分４、両端部分９、９のそれぞれには固定用面バンド１０のそれぞれが取り付けられている。【００１１】  そして、ベッド上等に扁平状態の排泄物受け具１が敷設され、その中央部３の基部１５上に要介護者の胴部から臀部が載せられ、股間位置で中央部３が上方に折り返えされ、その先端部分４上に両端部分９、９それぞれが順次重ねられて固定用面バンド１０それぞれにより固定され排泄物受け具１は人体に装着される。【００１２】  この装着された状態において空気充填用スペース５内の全体に空気が流入されることで、図２に示すように、排泄物受け具１は全体が所定の形状に膨らみ人体の胴部、臀部、太もも上部に連続一体に密着する。この状態においては、人体の排泄機能部に臨む部分に排泄用空間１３が形成され、この排泄用空間１３はその連続する周囲部分Ａが膨らんで人体に密着することで密閉された状態に設けられる。その際、要介護者が上向きである場合その腰部及び臀部は若干押し上げられ、かつ、弾力的に支持されて排泄が容易にできる姿勢となる。さらに、両側部分Ｂそれぞれが若干の角を持つように膨らむことで、要介護者が横向きである場合にもその姿勢が安定支持される状態において排泄がなされるようになっている。【００１３】  上記受け部１３の前側下部にはアダプター２０が装着され、このアダプター２０部分に排出用パイプ２２と洗浄用パイプ２４と乾燥用パイプ２６とがそれぞれ接続されている。２８は臭気センサである。【００１４】  図５は上記排泄物受け具１を使用する自動物自動処理装置４０の構成図である。空気導入用パイプ７、排出用パイプ２２、洗浄用パイプ２４のそれぞれにはポンプＰａ、Ｐｂ、Ｐｃのそれぞれが接続されている。ポンプＰａと空気導入用パイプ７とにより流体供給手段が構成される。空気導入用パイプ７の途中部には切り替えバルブ４２が設けられ、切り替えバルブ４２が切り替えられることでポンプＰａは乾燥用パイプ２６にも切り替え接続されるようになっており、このような構成によりポンプの使用個数を減らして装置の小型化及びコストダウンを図っている。４４は乾燥空気加熱用のヒータである。排出用パイプ２２、洗浄用パイプ２４の端部には、排泄物タンクＴａ、洗浄水タンクＴｂのそれぞれが配置されている。３０は制御部であり、予め設定プログラムに基づいて自動排泄物処理装置４０の動作制御を行う。【００１５】  以下、図６を参照して自動排泄物処理装置４０の動作説明を行う。非排泄時には排泄物受け具１は扁平な状態においてオムツカバーと同様に要介護者に装着されており、この状態において排泄物受け具１はほぼ立体的に存在しないので要介護者の就寝姿勢を邪魔することがなく、寝返り等も容���に可能とする。操作入力もしくはタイマー動作による作動開始指令があると、ポンプＰａが所定時間作動され、これにより空気導入用パイプ７を介して空気充填用スペース５内の全体に空気が導入されることで排泄用空間１３が所定位置に密閉状態に形成される（Ｓ１〜Ｓ３）。【００１６】  そして、排泄が始まりその臭気が臭気センサ２８で検知されると、ポンプＰｂ、Ｐｃがともに作動され、洗浄水タンクＴｂからの洗浄湯水が洗浄用パイプ２４端から要介護者の排泄機能部に放出されて洗浄がなされ、これに伴い排泄用空間１３の下部にたまる排泄物と洗浄湯水とが排出用パイプ２２を通して排出され排泄物タンクＴａに送られる（Ｓ４〜Ｓ６）。この際、排泄物受け具１は排泄用空間１３が密閉されていることで排泄物や洗浄湯水の外部への漏れ出しが確実に阻止される。【００１７】  排泄が終わり臭気センサ２８での検知がなくなると、ポンプＰｂ、Ｐｃはともに作動停止されるとともに（Ｓ７〜Ｓ９）、切り替えバルブ４２とヒータ４４とポンプＰａとに作動信号が与えられ、これによりヒータ４４により加熱された乾燥風が乾燥用パイプ２６を通して排泄用空間１３内に送り込まれ、排泄用空間１３内と排泄機能部を含む人体の乾燥処理がなされる（Ｓ１０〜Ｓ１２）。所定時間経過後切り替えバルブ４２が切り替えられるとともにヒータ４４が停止され、さらにポンプＰａが反転作動されることで空気充填用スペース５内の空気が外部に排出され、これにより排泄物受け具１はもとの扁平な状態に戻る（Ｓ１４〜Ｓ１６）。一方、上記のようにして、排泄がなされる毎に排泄物受け具１が膨らみ要介護者の腰部、臀部が変位されることで、床ずれも軽減される。【００１８】  図７は床ずれをさらに積極的に軽減、防止する構成の排泄物受け具１の実施形態を示す。このものでは仕切部５０により仕切られた２個の空気充填用スペース５ａ、５ｂが備えられた構成とされている。【００１９】  図８はその排泄物受け具１を使用する自動排泄物処理装置４０の動作説明図であり、自動排泄物処理装置４０では排泄物処理動作と別途に床ずれ防止動作とを行う。すなわち、排泄処理動作の指示があった場合には上記実施形態における排泄物処理動作を行い、床ずれ防止動作の指示があった場合には、図９に示すように一方の空気充填用スペース５ａにのみ空気を充填し所定時間後に排出する。これにより、要介護者の腰部、臀部は一定時間傾き状態で弾力的に指示された状態となり、同様の姿勢が継続されることで発生する床ずれが軽減、防止される。床ずれ防止動作は、空気充填スペース５ａ、５ｂが単独で、また、両方同時に膨らまされることが所定時間ごとに順次繰り返されて行われることで有効な床ずれ防止機能が発揮される。なお、自動排泄物処理装置４０は、ポンプＰａから排泄用空間１３への空気導入用パイプ７途中に、空気充填用スペース５ａ、５ｂそれぞれに選択的に空気を送り込み、また、両方の空気充填用スペース５ａ、５ｂに同時に空気を送り込むための切り替えバルブを配置する。
【図面の簡単な説明】
【図１】この発明の排泄物受け具の実施形態の非使用時の斜視図
【図２】この発明の排泄物受け具の実施形態の使用時の斜視図
【図３】この発明の排泄物受け具の実施形態の使用時の断面図
【図４】この発明の排泄物受け具の実施形態の使用時の図３と異なる方向における断面図
【図５】この発明の自動排泄物処理装置の構成図
【図６】この発明の自動排泄物処理装置の動作説明のためのフローチャート
【図７】この発明の排泄物受け具の他の実施形態の非使用時の断面図
【図８】この発明の排泄物受け具の他の実施形態の使用時の断面図
【図９】この発明の図７、図８に示す自動排泄物処理装置の簡略動作説明図
【符号の説明】
１      排泄物受け具
１５    排泄用空間
７      空気導入用パイプ（流体供給手段）
４０    自動排泄物処理装置
Ｐａ    ポンプ（流体供給手段）
【図１】
2008284319.tif 000003
【図２】
2008284319.tif 000004
【図３】
2008284319.tif 000005
【図４】
2008284319.tif 000006
【図５】
2008284319.tif 000007
【図６】
2008284319.tif 000008
【図７】
2008284319.tif 000009
【図８】
2008284319.tif 000010
【図９】
2008284319.tif 000011